(57)【要約】【課題】  患者を容易に入浴用器具へ移乗させることができ、及び、患者の大腿を、容易に持ち上げたり引き出したりできる回動受部材付入浴用器具を提供すること。【解決手段】  座部３を有する入浴用器具２において、回動受部材４が、座部３の前方位置に設けられ、回動受部材４は、入浴用器具２を利用する患者の動作を支援し、回動受部材４は、支持具５に取着される支持機構６を介して、座部３の前方位置に幅方向に設けられ、前記支持機構６は、回動受部材４の位置を座部３に対して接近・離間の調節を可能に支持する移動機構２１で構成され、前記回動受部材４は、患者を座部３へ移乗させる介助、及び患者の洗浄介助を支援する回動受部材付入浴用器具である。【選択図】      図１
2008049027.tif 000002
【特許請求の範囲】
【請求項１】
座部３を有する入浴用器具２において、回動受部材４が座部３の前方位置に設けられ、
回動受部材４は入浴用器具２を利用する患者の動作を支援することを特徴とする回動受部材付入浴用器具。
【請求項２】
回動受部材４は、左回動受部材４ａと右回動受部材４ｂとに分割され、左回動受部材４ａと右回動受部材４ｂとの間に適宜な空間を有して座部３に設けられることを特徴とする請求項１記載の回動受部材付入浴用器具。
【請求項３】
回動受部材４は、支持機構６を介して座部３の前方位置に入浴用器具２の幅方向に設けられ、前記支持機構６は、回動受部材４の位置を座部３に対して接近・離間の調節を可能に支持する移動機構２１で構成され、
前記回動受部材４は、患者を座部３へ移乗させる介助、及び患者の洗浄介助を支援することを特徴とする請求項１又は２記載の回動受部材付入浴用器具。
【請求項４】
移動機構２１は、基方部１３が支持具５に軸止され、中間部１４が伸縮し、先方部１５に回動受部材４が取着されて、伸縮するものであり、
移動機構２１は、回動受部材４を前後方向及び上下方向に位置を調節できることを特徴とする請求項３記載の回動受部材付入浴用器具。
【請求項５】
回動受部材４は、支持機構６を介して座部３の前方位置に入浴用器具２の幅方向に設けられ、
前記支持機構６は回動受部材４を入浴用器具２に容易に着脱できる着脱機構２５で構成されることを特徴とする請求項１又は２記載の回動受部材付入浴用器具。
【請求項６】
回動受部材４は、ローラー１１で構成されることを特徴とする請求項１乃至５記載の回動受部材付入浴用器具。
【請求項７】
回動受部材４は、座部３の前部位置に幅方向に掛け渡した複数のローラー１１と、複数のローラー１１を束ね状に覆い回動可能な無端ベルト３２とで構成されることを特徴とする請求項１乃至５記載のいずれかの回動受部材付入浴用器具。
【請求項８】
回動受部材４の回動を固定する固定具１２が設けられることを特徴とする請求項１乃至７記載の回動受部材付入浴用器具。
【発明の詳細な説明】
【技術分野】
【０００１】
本発明は、介護を必要とする人（＝以下患者という）が入浴する時に使用される回動受部材付入浴用器具に関する。
【背景技術】
【０００２】
従来の技術には、座部が備えられた車椅子において、座部の一部が開閉座部材で形成された車椅子が開示されている。
【０００３】
従来の技術に係る車椅子は、座部の一部が、複数固配設された軸回転自在のローラー部材で形成されるから、患者を容易に前後に移動できる。
しかし、患者を容易に入浴用器具へ移乗させる構成、及び、患者の介助を容易にするために患者の大腿を、持ち上げたり、引き出したりする構成が要望されているが、その要望に応える構成が開示されていない。
【特許文献１】特開２００５−１１８１２２号公報
【発明の開示】
【発明が解決しようとする課題】
【０００４】
解決しようとする問題点は、従来の車椅子は、患者を容易に車椅子へ移乗させる構成、及び、患者の介助を容易にするために、患者の大腿を容易に持ち上げたり引き出したりする構成等が要望されているが、それらの要望に応える構成が開示されていない点である。
【課題を解決するための手段】
【０００５】
本発明の目的は、上記課題を解決したものであり、患者を入浴用器具へ移乗させることが容易にでき、及び、患者の大腿を持ち上げたり引き出したりすることが容易にできる回動受部材付入浴用器具を提供することである。
即ち本発明は、座部３を有する入浴用器具２において、回動受部材４が座部３の前方位置に設けられ、回動受部材４は入浴用器具２を利用する患者の動作を支援することを特徴とする回動受部材付入浴用器具である。
又、回動受部材４は、左回動受部材４ａと右回動受部材４ｂとに分割され、左回動受部材４ａと右回動受部材４ｂとの間に適宜な空間を有して座部３に設けられる。
更に、回動受部材４は、支持機構６を介して座部３の前方位置に入浴用器具２の幅方向に設けられ、前記支持機構６は、回動受部材４の位置を座部３に対して接近・離間の調節を可能に支持する移動機構２１で構成され、前記回動受部材４は、患者を座部３へ移乗させる介助、及び患者の洗浄介助を支援する。
更に又、移動機構２１は、基方部１３が支持具５に軸止され、中間部１４が伸縮し、先方部１５に回動受部材４が取着されて、伸縮するものであり、移動機構２１は、回動受部材４を前後方向及び上下方向に位置を調節できる。
或いは、回動受部材４は、支持機構６を介して座部３の前方位置に入浴用器具２の幅方向に設けられ、前記支持機構６は回動受部材４を入浴用器具２に容易に着脱できる着脱機構２５で構成され、回動受部材４を離脱した状態下でも入浴用器具２は使用できる。
更に、回動受部材４は、ローラー１１で構成される。
或いは、回動受部材４は、座部３の前部位置に幅方向に掛け渡した複数のローラー１１と、複数のローラー１１を束ね状に覆い回動可能な無端ベルト３２とで構成される。
更に又、回動受部材４の回動を固定する固定具１２が設けられる。
【発明の効果】
【０００６】
本発明は、座部３を有する入浴用器具２において、回動受部材４が座部３の前方位置に設けられ、回動受部材４は入浴用器具２を利用する患者の動作を支援するから、患者の座部３への乗降に係る介助、及び座部３上での動作に係る介助等が容易となり、介助労力を軽減でき、好都合である。
又、腰痛症対策として座部３を高くした入浴用器具２であっても、患者を座部３へ乗降させる介助が行ない易く、好都合である。
【０００７】
本発明に係る回動受部材４は、左回動受部材４ａと右回動受部材４ｂとに分割され、左回動受部材４ａと右回動受部材４ｂとの間に適宜な空間を有して座部３に設けられるから、移乗介助を行ない易い上、患者の股間及び臀部の洗浄介助も行ない易く、好都合である。
【０００８】
本発明に係る回動受部材４は、支持機構６を介して座部３の前方位置に入浴用器具２の幅方向に設けられ、前記支持機構６は、回動受部材４の位置を座部３に対して接近・離間の調節を可能に支持する移動機構２１で構成されるから、前記回動受部材４は、患者が座部３へ移乗する動作を支援する。
患者は、座部３へ移乗が楽になり、介助者は、患者の座部３への移乗介助が容易となり、又、患者の洗浄介助が容易になり、移乗介助及び洗浄介助の労力を軽減でき、好都合である。
【０００９】
本発明に係る移動機構２１は、基方部１３が支持具５に軸１７で軸止され、中間部１４が伸縮し、先方部１５に回動受部材４が取着される伸縮体でなるから、回動受部材４の前後及び上下への位置を調節することにより、患者の移乗が容易になると共に、患者の大腿と座部３の間に隙間ができ、洗浄介助が容易となり、好都合である。
【００１０】
本発明に係る支持機構６は、回動受部材４を入浴用器具２に容易に着脱できる着脱機構２５で構成されるから、下肢に障害が無い人には、回動受部材４を外して使用でき、回動受部材付入浴用器具１を下肢健常者と共用でき、好都合である。
【００１１】
本発明に係る回動受部材４は、ローラー１１で構成されるから、構成を簡素にでき、好都合である。
【００１２】
本発明に係る回動受部材４は、座部３の前部位置に幅方向に掛け渡した複数のローラー１１と、複数のローラー１１を束ね状に覆い回動する無端ベルト３２とで構成されるから、無端ベルト３２の張力で、列設の複数ローラー１１とその相互間に生ずる凹凸が緩和され、無端ベルト３２上の患者に生ずる凹凸による痛みや不快感が減り、好都合である。
【００１３】
本発明は、回動受部材４の回動を固定する固定具１２が設けられるから、回転受部材3の回動を固定すると、着座後の患者の座部３からの滑り落ちを防止でき、好都合である。
【発明を実施するための最良の形態】
【００１４】
患者を入浴用器具へ移乗させることが容易にでき、及び、患者の大腿を、持ち上げたり引き出したりすることが容易にできる回動受部材付入浴用器具を提供する目的を、座部３を有する入浴用器具２において、回動受部材４が座部３の前方位置に設けられ、回動受部材４は入浴用器具２を利用する患者の動作を支援する構成をもって、実現した。
【実施例１】
【００１５】
図１、２、３に本発明の実施例１の回動受部材付入浴用器具１を示している。
回動受部材付入浴用器具１は、入浴用器具２の座部３の前方位置に回動受部材４を付加設置したものである。
実施例１は、支持具５と、座部３と、回動受部材４と、支持具５に取着され回動受部材４を支持する支持機構６と、背凭れ７とからなる。
【００１６】
支持具５は、下部にキャスター８が取着され、床面９を走行するものである。
支持具５は、座部３、背凭れ７、回動受部材４等を支持している。
座部３は、患者が臀部を乗せ腰掛けるものである。
座部３の前縁中央から座部３中心に向けて臀部の洗浄を介助するための適宜な切り欠き１０が開設される。
【００１７】
回動受部材４は、座部３に乗る患者の動作を支援し、その動作に係る介助者の介助を支援するものである。
更に具体的には、回動受部材４は、座部３への患者の移乗動作を支援し、及び、介助者の座部３上での洗浄介助を支援するものであり、1本のローラー１１で構成される。
回動受部材４は、支持機構６を介して、座部３の前方位置に、入浴用器具２の幅方向に設けられる。
【００１８】
支持機構６は回動受部材４を入浴用器具２に取着するものであり、該支持機構６の基方部１３は支持具５に取着され先方部１５には回動受部材４が取着される。
支持機構６の先方部１５に回動受部材４の回動を適宜固定する固定具１２が設けられる。
【００１９】
移動機構２１は、支持機構６の具体例であり、回動受部材４の位置を座部３に対して接近離間の移動・固定を可能に、支持するものである。
移動機構２１は、基方部１３が支持具５に軸止され、中間部１４が伸縮し、先方部１５に回動受部材４が取着されてなる。
【００２０】
先方部１５と支持具５との間に、先方部１５を上方に付勢し回動受部材４の重量及び回動受部材４が受ける下肢の重量を補正するバネ１６が設けられる。
基方部１３は、軸１７で取付板１８に軸支される。又、基方部１３に掛止ピン１９が設けられ、前記取付板１８には掛止ピン１９が嵌入される穴２０が開設される。
【００２１】
掛止ピン１９は穴２０に入るようスプリング（図示省略）で付勢されている。掛止ピン１９は、移動機構２１の角度を決め固定するものであり、回動受部材４の高さ位置が設定される。
中間部１４は、外筒２２と、外筒２２内で摺動可能な内部材２３とでなり、外筒２２には内部材２３を固定するノブボルト２４が設けられる。ノブボルト２４は移動機構２１の長さを決め固定するものであり、回動受部材４の水平方向の位置を調節し設定する。
【００２２】
先方部１５に、ローラー１１が回動しないように固定する固定具１２が設けられる。
中間部１４の伸縮でローラー１１は前後に移動し、軸１７を中心にした中間部１４の回動でローラー１１は上下に移動する。
ローラー１１の前後位置を調節後ノブボルト２４で当該位置に固定し、ローラー１１の上下位置を調節後掛止ピン１９で当該位置に固定する。
背凭れ７は、座部３の後端部に立設され、患者が背を当て凭れるものである。
尚、３５は足受けである。
【００２３】
実施例１を使用する際、先ず、実施例１の回動受部材４の位置をセッティングする。
介助者は、移動機構２１を操作し、回動受部材４の位置を、座部３の直前位置に設定し固定する。
即ち詳しくは、介助者は、移動機構２１を伸縮・回動操作し、回動受部材４を座部３に対して接近・離間の調節を行なう。回動受部材４を、座部３面よりやや高位に垂直方向の位置を設定し掛止ピン１９を掛止し、座部３の直前に水平方向の位置を設定しノブボルト２４を締める。
【００２４】
介助者は、一般車椅子（図示省略）から降ろした患者を、適宜に介助しながら実施例１の前方から該実施例１に接近させ、回動受部材４を利用して患者の移乗動作を支援する。
患者の臀部を回動受部材４に乗せ、該患者を座部３中央へ移動し移乗させる。
介助者は、患者を座部３の直前に有るローラー１１に乗せ該ローラー１１を回動させながら座部３へ移乗する。
移乗後、固定具１２を締めて回動受部材４を回動不自在に固定する。
【００２５】
介助者は患者にシャワーを掛け予洗する。回動受部材４で大腿の下部が僅か持ち上げられており、座部３と大腿の間に出来た隙間にシャワー湯を掛け、又、臀部には切り欠き１０からシャワー湯を掛け、適宜予洗を行なう。
患者を実施例１に乗せたまま、実施例１と友にドア付浴槽３６に入れ、入浴する。
【００２６】
適宜時間の経過後、ドア付浴槽３６から退出させ、退浴する。
介助者は、固定具１２を緩め、回動受部材４を回動自在になし、患者を実施例１から前方へ引き動かし、実施例１から降ろす。この時、患者は回動受部材４を回動させながら降りる。
続いて、患者を前記一般車椅子へ移乗させ、入浴を終わる。
図３中、４８はドア、４９は浴槽部、５０は貯湯槽部、５１はスロープである。
【実施例２】
【００２７】
図４に示す実施例２は実施例１に係る移動機構２１を、着脱機構２５に代えたものである。
着脱機構２５は、回動受部材４を入浴用器具２に着・脱するものであり、更に、回動受部材４の位置を座部３に対して接近離間の移動・固定を可能に支持するものである。
【００２８】
着脱機構２５は、基方部１３が支持具５に軸１７で軸止され、中間部１４は伸縮及び合体・分離でき、先方部１５に回動受部材４が取着される。
中間部１４は、外筒２２と、外筒２２内で摺動可能な内部材２３とでなり、外筒２２には内部材２３を固定するノブボルト２４が設けられる。
【００２９】
ノブボルト２４は着脱機構２５の長さを決め固定するものであり、回動受部材４の高さ位置及び水平方向の位置を調節し設定する。
中間部１４の伸縮によりローラー１１は前後に移動し、軸１７を中心にした中間部１４の回動によりローラー１１は上下に移動する。
ローラー１１の前後位置を調節した後ノブボルト２４で当該位置に固定し、ローラー１１の上下位置を調節後掛止ピン１９で当該位置に固定する。
【００３０】
通常は回動受部材４を入浴用器具２に取着している。
非通常時は、内部材２３を外筒２２から抜き外し、内部材２３と共に回動受部材４を入浴用器具２から離脱する。
回動受部材４を離脱した実施例２は、下肢の健常な人に使用できる。
又、内部材２３及び回動受部材４を離脱した後、これらに代わる他の部材を取着することも可能である。例えば、回動受部材を、疣形状物が多数設けられた疣形状ローラーとしたものに代えたり、又、回動受部材を、延設方向の中央部が括れて鼓に似た鼓形状ローラーとしたものに代えてもよい。
【実施例３】
【００３１】
図５、６に示す実施例３は実施例１に係る座部３を、分離式座部２６に代え、支持機構６を分離式用支持機構２７に代えたものである。
実施例３に係る分離式座部２６は、支持具５から分離するものである。
実施例３に係る支持具５の上部はレール２８に形成される。分離式座部２６の下部に前記レール２８を走行できる車輪２９が設けられる。分離式座部２６の前端には、回動受部材４が設けられる。
【００３２】
分離式用支持機構２７は、基方部１３が座部３に掛止され、先方部１５に回動受部材４が取着されてなる。
基方部１３側を中心にした分離式用支持機構２７の回動でローラー１１は上下に移動する。ローラー１１の上下方向の位置を調節後固定ボルト３０で当該位置に固定する。
【００３３】
又、固定ボルト３０を緩め分離式用支持機構２７から外すと、分離式用支持機構２７及びローラー１１は、座部３から離脱できる。
入浴時には、掛止具３１を解除し、支持具５から分離式座部２６を分離し、分離式座部２６のみ高床浴槽（図示省略）へ進入させる。
退浴時には、前記高床浴槽から分離式座部２６を支持具５に移乗する。掛止具３１を掛止し、実施例３を適宜な場所へ移動し、入浴を終わる。
【００３４】
図６には、分離式座部２６を、入浴リフト３７に装着したものを示している。
一例では、分離式座部２６を、入浴リフト３７で持ち上げ分離し、浴槽３８に入れる。その場合、入浴リフト３７のアーム３９に背凭れ７を掛止しアーム３９を上昇させ、分離式座部２６を支持具５から分離する。続いて、アーム３９を伸縮支柱４０中心に回動させ、分離式座部２６が浴槽３８の上方位置に至ると下降させ、入浴する。
【００３５】
退浴時には、アーム３９を上昇させ、続いてアーム３９を伸縮支柱４０中心に回動させ、分離式座部２６を支持具５の上方に位置させ、その位置でアーム３９を下降させ、分離式座部２６を支持具５上に降ろす。
分離式座部２６を支持具５上に合体固定して元の実施例３に成し、背凭れ７からアーム３９を外し、実施例３を適宜な場所へ移動し、入浴を終わる。
【００３６】
他の例では、分離式座部２６へ直接患者を座らせる。その場合、介助者は、入浴リフト３７のアーム３９に装着した分離式座部２６に、一般車椅子（図示省略）から降ろした患者を、適宜に介助しながら前方から、該分離式座部２６に接近させ、回動受部材４に臀部を乗せ、座部３中央へ移動し、移乗させる。
患者は、座部３の直前に有るローラー１１を回動させながら移動する。
移乗後、固定具１２を締めて回動受部材４を回動不自在に固定する。
【００３７】
適宜予洗を行ない、入浴リフト３７のアーム３９を回動させ、続いて下降させ、患者を浴槽３８に入れ、入浴する。
【００３８】
図６中、４１は伸縮支柱４０を伸縮させる駆動部、４２は駆動部４１を操作する操作部、４３は患者を固定する固定ベルト、４４は患者が掴む取っ手、４５はアーム３９を回動させる操作取っ手、４６はアーム３９を背凭れ７から掛止解除する解除ハンドル、４７は基枠である。
【実施例４】
【００３９】
図７に示す実施例４は、実施例１に係る１本のローラー１１を、複数本のローラー１１及び無端ベルト３２に代えたものである。
実施例４に係る複数本のローラー１１は、ローラー１１を複数個（具体例では４個）平坦面状に列設してなる並設ローラー３３であり、無端ベルト３２は該並設ローラー３３を束ねる如くに覆ったものである。
並設ローラー３３は移動機構２１で支持される。
無端ベルト３２は、並設ローラー固定具３４で回動を固定される。
【００４０】
患者を座部３へ移乗させる時は無端ベルト３２は患者と共に後方向（背凭れ７の有る側）に回動する。
患者を座部３から降ろす時は無端ベルト３２は患者と共に入浴用器具２の前方向に回動する。
【実施例５】
【００４１】
図８に示す実施例５は、図４に示す実施例２に係るローラー１１を、並設ローラー３３及び無端ベルト３２に代えたものである。
実施例５に係る並設ローラー３３及び無端ベルト３２は、脱着機構２５で支持具５に取着され、不要時には内部材２３と共に抜き取り除去する。
【実施例６】
【００４２】
図９に示す実施例６は、実施例１に係る回動部材４を、左回動受部材４ａと右回動受部材４ｂに代えたものである。
実施例６は、左・右回動受部材４ａ・４ｂが座部３の前方位置に設けられる。左・右回動受部材４ａ・４ｂは、具体例では、左・右ローラー１１ａ・１１ｂである。左・右ローラー１１ａ・１１ｂは、左・右支持機構６・６でそれぞれ支持され、左ローラー１１ａと右ローラー１１ｂとの間には、空間が設けられる。
患者の股間及び臀部の洗浄介助を行なう時に、介助者は前記空間へ手を差し入れる。
【産業上の利用可能性】
【００４３】
座部３を有する入浴用器具２において、回動受部材４が座部３の前方位置に設けられる回動受部材付入浴用器具１は、患者を入浴用器具へ移乗させることが容易にでき、及び、患者の大腿を持ち上げたり引き出したりすることが容易にできるものに適用できる。
【図面の簡単な説明】
【００４４】
【図１】本発明の実施例１の斜視図である。
【図２】本発明の実施例１の左側面図である。
【図３】本発明の実施例１に係るドア付浴槽の斜視図である。
【図４】本発明の実施例２の左側面図である。
【図５】本発明の実施例３の左側面図である。
【図６】本発明の実施例３の分離式座部を入浴リフトに掛止した左側面図である。
【図７】本発明の実施例４の左側面図である。
【図８】本発明の実施例５の左側面図である。
【図９】本発明の実施例６の斜視図である。
【符号の説明】
【００４５】
１  回動受部材付入浴用器具
２  入浴用器具
３  座部
４  回動受部材
４ａ左回動受部材
４ｂ右回動受部材
５  支持具
６  支持機構
７  背凭れ
１１  ローラー
１２  固定具
１３  基方部
１４  中間部
１５  先方部
２１  移動機構
２５  着脱機構
３２  無端ベルト
【図１】
2008049027.tif 000003
【図２】
2008049027.tif 000004
【図３】
2008049027.tif 000005
【図４】
2008049027.tif 000006
【図５】
2008049027.tif 000007
【図６】
2008049027.tif 000008
【図７】
2008049027.tif 000009
【図８】
2008049027.tif 000010
【図９】
2008049027.tif 000011